(57)【要約】【課題】簡易な方法で受信部を取り付けることができ、作業時間の短縮を図ることができること。【解決手段】熱交換器および送風機を収容するとともに、外部からの受信信号を受信するための受信部を配置可能にする開口部が形成された筐体３と、開口部に脱着可能に配置されるワイヤードリモコン用カバー１０とを備え、ワイヤードリモコン用カバー１０には、筐体３の外部から工具を差し込んでワイヤードリモコン用カバー１０を筐体３から取り外すための差込溝２１が設けられている室内ユニット１を提供する。【選択図】図４
2009243841.tif 000002
【特許請求の範囲】
【請求項１】
熱交換器および送風機を収容するとともに、外部からの受信信号を受信するための受信部を配置可能にする開口部が形成された筐体と、
前記開口部に脱着可能に配置される取付けカバーと
を備え、
該取付けカバーには、前記筐体の外部から工具を差し込んで前記取付けカバーを前記筐体から取り外すための差込溝が設けられている室内ユニット。
【請求項２】
前記取付けカバーが、前記筐体の外壁に沿って前記開口部から張り出す鍔部を有し、
前記差込溝が、前記鍔部の前記筐体の外壁と対向する面に設けられている請求項１に記載の室内ユニット。
【請求項３】
請求項１または請求項２に記載の室内ユニットと、該室内ユニットに接続される室外ユニットとを備える空気調和装置。
【発明の詳細な説明】
【技術分野】
【０００１】
本発明は、室内ユニットおよびこれを備える空気調和装置に関するものである。
【背景技術】
【０００２】
一般に、ワイヤードリモコン用とワイヤレスリモコン用に分けることなく両方の用途に対応できるように、外部からの制御信号を受信するワイヤレスリモコン用の受信部を取り付け可能とするための切欠処理が室内ユニットのフロントパネルに施された空気調和装置が知られている（特許文献１参照）。
【０００３】
特許文献１に記載の空気調和機は、空気調和機本体の化粧パネル本体に切欠処理が施されており、この部分に化粧コーナーカバーが脱着可能に配置されている。そして、ワイヤレスリモコンを使用する場合には、受光部を配設したワイヤレスリモコン用の化粧コーナーカバーを化粧パネル本体に嵌めることにより、受光部を空気調和機本体に取り付けることができるようにされている。
【特許文献１】特開２００５−２６５２６４号公報
【発明の開示】
【発明が解決しようとする課題】
【０００４】
しかしながら、この種の空気調和装置においては、フロントパネルからワイヤードリモコン用のカバーを取り外すには、室内ユニットからフロントパネルを一旦外し、フロントパネルの内側からワイヤードリモコン用のカバーを取り外す必要がある。そのため、フロントパネルにワイヤードリモコン用のカバーが嵌められている室内ユニットに受信部を取り付ける際には、カバーの付け替え作業が大掛かりなものとなる上、作業時間もかかるという不都合がある。
【０００５】
本発明は、このような事情に鑑みてなされたものであって、簡易な方法で受信部を取り付けることができ、作業時間の短縮を図ることができる室内ユニットおよび空気調和装置を提供することを目的とする。
【課題を解決するための手段】
【０００６】
上記課題を解決するために、本発明は以下の手段を採用する。
本発明は、熱交換器および送風機を収容するとともに、外部からの受信信号を受信するための受信部を配置可能にする開口部が形成された筐体と、前記開口部に脱着可能に配置される取付けカバーとを備え、該取付けカバーには、前記筐体の外部から工具を差し込んで前記取付けカバーを前記筐体から取り外すための差込溝が設けられている室内ユニットを提供する。
【０００７】
本発明によれば、筐体の外部から差込溝に工具を差し込み、取付けカバーを開口部から取り外すことができる。したがって、室内ユニットから筐体を一旦外して筐体の内側から取付けカバーを取り外す場合に比べて、作業を効率的に行うことができる。これにより、例えば、室内ユニットが天井に設置されている場合であっても、簡易な方法で開口部から受信部を室内ユニットに配置することが可能となり、作業時間の短縮を図ることができる。
【０００８】
上記発明においては、前記取付けカバーが、前記筐体の外壁に沿って前記開口部から張り出す鍔部を有し、前記差込溝が、前記鍔部の前記筐体の外壁と対向する面に設けられていることとしてもよい。
取付けカバーの鍔部と筐体の外壁との間に差込溝が設けられているので、てこの原理により、開口部から取り付けカバーを容易に取り外すことができる。
【０００９】
本発明は、上記の室内ユニットと、該室内ユニットに接続される室外ユニットとを備える空気調和装置を提供する。
【発明の効果】
【００１０】
本発明によれば、簡易な方法で受信部を取り付けることができ、作業時間の短縮を図ることができるという効果を奏する。
【発明を実施するための最良の形態】
【００１１】
以下に、本発明の一実施形態に係る室内ユニットおよびこれを備える空気調和装置について、図面を参照して説明する。
本実施形態に係る空気調和装置１００は、例えば、図１に示す天井吊下げ型の室内ユニット１と、この室内ユニット１に冷媒配管（図示略）によって接続された室外ユニット（図示略）を備えている。
【００１２】
室内ユニット１は、室内空気と冷媒との間で熱交換を行うことにより、室内空気を所定の温度に調温し、調温された空気を室内に吹出すものである。この室内ユニット１は、室内送風機（送風機、図示略）と、室内熱交換器（熱交換器、図示略）と、運転動作のため制御装置（図示略）と、これら室内送風機、室内熱交換器および制御装置を収容する筐体３とを備えている。
【００１３】
室内送風機は、室内空気を室内ユニット１内に流入させ、室内熱交換器を通過させた後、室内ユニット１から吹き出させるものである。この室内送風機は、ファンモータ（図示略）と接続されており、ファンモータによって回転駆動されるようになっている。
【００１４】
室内熱交換器は、室内空気と冷媒との間で熱交換を行うものである。また、室内熱交換器は、前記室外ユニットに収容されている室外熱交換器や圧縮機などとともに冷凍サイクルを構成するものである。この室内熱交換器には、筐体３内において室内送風機によって吸込まれた空気が送り込まれるようになっている。
【００１５】
制御装置は、冷房運転または暖房運転等のＯＮ／ＯＦＦ、設定温度の切替え、タイマの作動等の室内空調装置の運転動作を制御するものである。この制御装置は、壁面等に設置されるワイヤードリモコン（図示略）を通して操作されたり、ワイヤレスリモコン（図示略）によって遠隔操作されたりするようになっている。
【００１６】
また、制御装置は、ワイヤードリモコンには有線によって接続され、一方、ワイヤレスリモコンには、ワイヤレスリモコンからの制御信号を受信する受信部（図示略）に接続されるようになっている。なお、この受信部は、例えば、現地にて、室内ユニットの設置時にオプションとして筐体３内に取り付けられるようになっている。
【００１７】
筐体３は、略直方体形状に形成されており、上端面が天井に固定されている。筐体３の下端面には、室内空気を室内ユニット１内に吸入する吸込みグリル５と、略平面状に形成されたパネル７とが設けられている。また、筐体３の前面には、吸込みグリル５から吸込まれて室内熱交換器を通過した空気が吹出される吹出口９が設けられている。
【００１８】
吸込みグリル５は、筐体３の長手方向に延在する網目状部材であり、筐体３の下端面の後方寄りに配置されている。吸込みグリル５の長手方向に延在する両側端部には、複数の引掛け部１１が間隔をあけて設けられており、この引掛け部１１により、吸込みグリル５が筐体３に対して脱着可能とされている。
【００１９】
吸込みグリル５の裏面（すなわち、筐体３の内側）には、吸込まれた室内空気に含まれる塵埃を取り除くための空気清浄用のエアフィルタ（図示略）が設けられている。なお、吸込みグリル５およびエアフィルタの上方には、室内送風機が配置されている。
【００２０】
パネル７は、筐体３の長手方向に延在する板金部材であり、吸込みグリル５に隣接して筐体３の下端面の前方寄りに配置されている。また、パネル７は、筐体３に対して取り付けたり取り外したりすることができるようになっている。なお、パネル７の上方には、室内熱交換器が配置されている。
【００２１】
このパネル７には、ワイヤレスリモコンからの受信信号を受信するための受信部を配置可能にする開口部（図示略）が形成されている。開口部は、略長方形形状に切欠処理が施されたものである。この開口部には、脱着可能なワイヤードリモコン用カバー（取付けカバー）１０が嵌め込まれている。なお、このワイヤードリモコン用カバー１０は、ワイヤレスリモコン用カバー２０（図５〜図７参照）と交換可能となっている。
【００２２】
ワイヤードリモコン用カバー１０は、図２〜図４に示すように、略長方形形状の蓋部材である。ワイヤードリモコン用カバー１０の表面（すなわち、筐体３の外面側に向く面）は、略平板状である。ワイヤードリモコン用カバー１０の裏面（すなわち、筐体３の内面側に向く面）には、裏面に対して略垂直に突出する４つの引掛け爪１３と、パネル７の開口部の長手方向の両端の縁部に嵌め合わされる２つの凸部１５ａが設けられている。
【００２３】
引掛け爪１３は、パネル７の開口部の長手方向の両側縁部に嵌め合わされるように長手方向に２箇ずつ配置されている。また、引掛け爪１３の先端には、開口部からパネル７の内面（すなわち、筐体３の内側）に沿って張り出すように形成された爪部１７ａが設けられている。
【００２４】
また、このワイヤードリモコン用カバー１０は、各引掛け爪１３より外方側が、開口部からパネル７の表面（すなわち、筐体３の外側）に沿って張り出す鍔部１９ａとなっている。この鍔部１９ａの長手方向の一方には、パネル７の表面と対向する面（すなわち、ワイヤードリモコン用カバー１０の裏面）に２つの差込溝２１が形成されている。これら差込溝２１は、例えば、筐体３の外部からマイナスドライバ等の工具を差し込んで、パネル７の開口部からワイヤードリモコン用カバー１０を取り外すためのものである。
【００２５】
次に、ワイヤレスリモコン用カバー２０について、図５〜図７を参照して説明する。
ワイヤレスリモコン用カバー２０は、ワイヤードリモコン用カバー１０と同様に略長方形形状の蓋部材である。ワイヤードリモコン用カバー２０の表面には、ワイヤレスリモコンからの制御信号を透過させる２つの透過窓２３と、３つのランプ穴２５とが設けられている。また、ワイヤレスリモコン用カバー２０の裏面には、前記透過窓２３およびランプ穴２５のほか、裏面に対して略垂直に突出し、パネル７の開口部の縁部に沿って嵌め合わされる枠状凸部１５ｂと、受信部が取り付けられる４つの取付け部２７とが設けられている。
【００２６】
枠状凸部１５ｂには、開口部からパネル７の内面に沿って張り出すように形成された４つの爪部１７ｂが形成されている。
取付け部２７は、ワイヤレスリモコン用カバー２０の裏面に対して略垂直に突出する円柱形状の突出部であり、裏面の４隅にそれぞれ設けられている。各取付け部２７には、ネジ孔２９が設けられており、透過窓２３の内側に受信センサ（図示略）が設置され、かつ、ランプ穴２５の内側に各種ランプが配置されるように、受信部がネジ留め固定されるようになっている。
【００２７】
また、ワイヤレスリモコン用カバー２０は、ワイヤードリモコン用カバー１０の鍔部１９ａの幅寸法より大きい幅寸法の鍔部１９ｂを有している。具体的には、ワイヤレスリモコン用カバー２０の鍔部１９ｂは、長手方向に延在する鍔の一方が、ワイヤードリモコン用カバー１０の差込溝２１が形成されている鍔の幅寸法より約５ｍｍ大きい幅寸法を有している。
【００２８】
吹出口９には、上下に風向きを振り分ける上下風向ルーバ３１と、左右に風向きを振り分ける左右風向ルーバ（図示略）とが設けられている。上下風向ルーバ３１は、吹出口９の長手方向に延在する板状部材であり、長手方向の両端部から外方に突出する支持軸３３によって縦方向にスイング可能に吹出口９に支持されている。
【００２９】
左右風向ルーバは、上下風向ルーバ３１より筐体３の内側に設けられており、吹出口９の長手方向に沿って間隔をあけて複数配置されている。これら左右風向ルーバは、吹出口９の幅方向に延在する支持軸（図示略）により、横方向にスイング可能に吹出口９に支持されている。
【００３０】
室外ユニットは、室内ユニット１との間で冷凍サイクルを構成するものである。室外ユニットには、冷媒を圧縮する圧縮機（図示略）と、室外気と冷媒との間で熱交換を行う室外熱交換器（図示略）と、室外熱交換器に室外気を送風する室外送風機（図示略）と、冷媒を膨張させる膨張弁（図示略）などが備えられている。
【００３１】
このように構成された本実施形態に係る室内ユニット１およびこれを備える空気調和装置１００の作用について説明する。
まず、空気調和装置１００の冷房運転時の作用について説明する。
冷媒は、室外ユニットにおいて、圧縮機により圧縮され高温高圧の状態で室外熱交換器に送り出される。室外熱交換器に流入した冷媒は、室外空気に対して熱を放出し、凝縮・液化する。液化した冷媒は、膨張弁を通過する際に減圧され、冷媒配管を通って室内ユニット１へ送られる。
【００３２】
室内ユニット１においては、冷媒が室内熱交換器に流入し、室内空気から熱を奪って、蒸発・気化する。気化した冷媒は、冷媒配管を通って室外ユニットへ送られる。室外ユニットにおいては、冷媒が再び圧縮機に流入し、上述のサイクルを繰り返す。
【００３３】
次に、空気調和装置１００における暖房運転時の作用について説明する。
冷媒は、室外ユニットの圧縮機により圧縮され、室内ユニット１の室内熱交換器に送り出される。室内熱交換器に流入した冷媒は、室内空気に対して熱を放出し、凝縮・液化する。液化した冷媒は、冷媒配管を通って室外ユニットへ送られる。
【００３４】
室外ユニットにおいては、膨張弁を通過する際に減圧され、室外ユニットの室外熱交換器に流入する。室外熱交換器に流入した冷媒は、室外熱交換器から熱を奪い、蒸発・気化する。気化した冷媒は再び圧縮機に流入し、上述のサイクルを繰り返す。
【００３５】
次に、室内ユニット１における室内空気の流れについて説明する。
室内空気は、ファンモータによって室内送風機が回転させられることにより、吸込みグリル５から筐体３内に流入する。筐体３に流入した室内空気はエアフィルタを通過し、室内空気に含まれる塵埃がエアフィルタに捕集される。エアフィルタを通過した空気は、室内送風機に吸込まれ、室内熱交換器に向かって送り出される。
【００３６】
冷房運転時には、空気は室内熱交換器を通過する際に冷媒に熱を奪われ冷却される。一方、暖房運転時には、空気は室内熱交換器を通過する際に冷媒から熱を受取り加熱される。室内熱交換器を通過した空気は、吹出口９から室内へ流出する。
【００３７】
このような空気調和装置１００の動作は、制御装置より行われる。ワイヤレスリモコンを使用せず、ワイヤードリモコンによって制御装置を操作する場合には、筐体３内に受信部は取り付けられず、パネル７の開口部にワイヤードリモコン用カバー１０が嵌め込まれた状態で、室内ユニット１が設置される。
【００３８】
一方、ワイヤードリモコンを使用する場合には、現地において、室内ユニット１のパネル７からワイヤードリモコン用カバー１０が取り外され、開口部から筐体３内に受信部が取付けられる。この場合に、パネル７とワイヤードリモコン用カバー１０との隙間、すなわち、ワイヤードリモコン用カバー１０の鍔部１９ａに形成されている差込溝２１にマイナスドライバ等の工具を差し込み、てこの原理によって、開口部からワイヤードリモコン用カバー１０を取り外すことができる。
【００３９】
したがって、室内ユニット１から筐体３のパネル７を一旦外して、パネル７の内側からワイヤードリモコン用カバー１０を取り外す場合に比べて、作業を効率的に行うことができる。これにより、例えば、室内ユニット１が天井に設置されている場合であっても、簡易な方法で開口部から受信部を室内ユニット１に取り付けることが可能となり、作業時間の短縮を図ることができる。なお、差込溝２１は、ワイヤードリモコン用カバー１０の裏面に形成されているので、室内ユニット１の設置状態では視認できず、外観を損なうことがない。
【００４０】
続いて、ワイヤレスリモコン用カバー２０の裏面の取付け部２７に受信部をネジ留め固定し、ワイヤレスリモコン用カバー２０を開口部に取り付ける。この場合に、ワイヤレスリモコン用カバー２０は、ワイヤードリモコン用カバー１０の鍔部１９ａより大きな寸法の鍔部１９ｂを有するので、例えば、開口部からワイヤードリモコン用カバー１０を取り外す際に、工具によって差込溝２１周辺のパネル７の表面に傷が付いた場合であっても、鍔部１９ｂによって傷を隠すことができる。
【００４１】
以上、本実施形態に係る室内ユニット１およびこれを備える空気調和装置１００によれば、室内ユニット１の筐体３の外側からワイヤードリモコン用カバー１０を容易に取り外すことができる。したがって、筐体３からパネル７を取り外すことなく筐体３の外部から受信部を室内ユニット１に取り付けることができ、作業の短縮を図ることが可能となる。
【００４２】
なお、本実施形態においては、ワイヤードリモコン用カバー１０の鍔部１９ａにのみ差込溝２１を形成することとしたが、例えば、ワイヤレスリモコン用カバー２０の鍔部１９ｂにも差込溝２１を形成することとしてもよい。
【図面の簡単な説明】
【００４３】
【図１】本発明の一実施形態に係る室内ユニットを下方から見た概略図である。
【図２】図１のワイヤードリモコン用カバーの表面の概略図である。
【図３】図２のワイヤードリモコン用カバーの裏面の概略図である。
【図４】図３のワイヤードリモコン用カバーのＡ−Ａ断面図である。
【図５】図２のワイヤードリモコン用カバーと交換可能のワイヤレスリモコン用カバーの表面の概略図である。
【図６】図５のワイヤレスリモコン用カバーの裏面の概略図である。
【図７】図６のワイヤレスリモコン用取付けカバーのＢ−Ｂ断面図である。
【符号の説明】
【００４４】
１  室内ユニット
３  筐体
１０  ワイヤードリモコン用カバー（取付けカバー）
２１  差込溝
１００  空気調和装置
【図１】
2009243841.tif 000003
【図２】
2009243841.tif 000004
【図３】
2009243841.tif 000005
【図４】
2009243841.tif 000006
【図５】
2009243841.tif 000007
【図６】
2009243841.tif 000008
【図７】
2009243841.tif 000009